(57)【要約】  一体シールアセンブリと、外部ねじ式ポートに結合するためのコネクタとともにシールアセンブリ（６０）を組み込んだ同軸ケーブルシステム部品。シールアセンブリは、弾力的に変形可能な管状本体と複数の封止面とを有するベローズタイプのシールと、軸方向に向けられる力に応じてシールの軸方向変形に役立つ前端と後端（５９）との中間の一体接合部（６５）と、を含む。封止面の１つは、内部ねじ式ナット（４０）またはハウジングの対応する面と係合するように作製される。部品は、内部ねじ式コネクタを介して外部ねじ式ポートと係合可能である。シール本体が本来露出する外部ねじ式ポートを覆う一方で、シールの前端（６８）はポートに嵌合し、シールの封止面はポートの肩部に対して軸方向に封止することができる。
2008535180.tif 000002
【特許請求の範囲】
【請求項１】
少なくとも一部がねじ式である内面とシール把持面部とを有するハウジングと、
前記ハウジングに接続される弾力的に変形可能な管状本体を有するシールであって、前記本体が、前記ハウジングの前記シール把持面部と協働して係合する後封止面と、ねじ式ポートと協働して係合する前封止面と、一体接合部と、を有する、シールと、
を具備する、ケーブル終端装置。
【請求項２】
前記シール把持部の少なくとも一部が、平滑面および前記シールの前記後封止面と摩擦係合するために適した粗化面のうちの一方である、請求項１に記載のケーブル終端装置。
【請求項３】
前記シール把持部が、前記ハウジングの外面にリッジをさらに備える、請求項２に記載のケーブル終端装置。
【請求項４】
前記シールの後封止面が、前記ハウジングの前記面の前記シール把持部の少なくとも一部に接着される、請求項３に記載のケーブル終端装置。
【請求項５】
前記ハウジングが第１端および第２端を有し、前記第２端が少なくとも２つの平坦面領域を有する、請求項１に記載のケーブル終端装置。
【請求項６】
前記ハウジングの前記第２端が、断面が六角形の外面を有する、請求項５に記載のケーブル終端装置。
【請求項７】
前記シールと前記後封止面の半径方向外側に係合するリングをさらに具備する、請求項１に記載のケーブル終端装置。
【請求項８】
前記リングが、刻み付きの外面を有する、請求項７に記載のケーブル終端装置。
【請求項９】
前記リングが外部フランジを有する、請求項７に記載のケーブル終端装置。
【請求項１０】
第１端と第２端と中心軸とを有する円柱状シェルであって、前記第２端が内部キャビティを画定するスリーブを含む、円柱状シェルと、
第１端および第２端を有するハウジングであって、少なくとも部分的に前記シェル内に同軸上に配置されかつ少なくとも一部がねじ式である内面を有し、前記円柱状シェルとは独立して前記軸を中心に回転する、ハウジングと、
前記ハウジングの前記第１端または前記シェルの前記第１端のうちの一方に接続される弾力的に変形可能な管状本体を有するシールであって、前記本体が、後封止面と、ねじ式ポートと協働して係合する前封止面と、一体接合部と、を有する、シールと、
を具備する、耐タンパー性ケーブル終端装置。
【請求項１１】
前記後封止面が、前記シェルの前記第１端のシール把持面と協働して係合する、請求項１０に記載の耐タンパー性ケーブル終端装置。
【請求項１２】
前記シール把持部が、前記シェルの前記第１端の外面にリッジをさらに備える、請求項１１に記載の耐タンパー性ケーブル終端装置。
【請求項１３】
前記シールと前記後封止面の半径方向外側に係合するリングをさらに具備する、請求項１１に記載の耐タンパー性ケーブル終端装置。
【請求項１４】
前記リングが、刻み付きの外面を有する、請求項１３に記載の耐タンパー性ケーブル終端装置。
【請求項１５】
前記リングが外部フランジを有する、請求項１３に記載の耐タンパー性ケーブル終端装置。
【請求項１６】
前記後封止面が、前記ハウジングの前記第１端のシール把持面と協働して係合する、請求項１１に記載の耐タンパー性ケーブル終端装置。
【請求項１７】
前記シェルの前記第１端が、前記シールを前記後封止面の半径方向外側に係合するように寸法が決められかつ構成される、請求項１６に記載の耐タンパー性ケーブル終端装置。
【請求項１８】
前記シェルの前記第２端が、同軸ケーブルコネクタの係合のための外部ねじを含む、請求項１１に記載の耐タンパー性ケーブル終端装置。
【請求項１９】
前記ハウジングの前記第２端が、工具による係合のための凹部を含む、請求項１１に記載の耐タンパー性ケーブル終端装置。
【請求項２０】
第１端および第２端を有するハウジング本体であって、前記第１端が内部ねじ式コネクタを含み、前記コネクタがシール把持面部を有する、ハウジング本体と、
前記コネクタに接続される弾力的に変形可能な管状本体を有するシールであって、前記本体が、前記コネクタの前記シール把持面部と協働して係合する後封止面と、ねじ式ポートと協働して係合する前封止面と、一体接合部と、を有する、シールと、
を具備する、フィルタハウジング。
【請求項２１】
前記シール把持部の少なくとも一部が、平滑面および前記シールの前記後封止面と摩擦係合するために適した粗化面のうちの一方である、請求項２０に記載のフィルタハウジング。
【請求項２２】
前記シール把持部が、前記コネクタの外面にリッジをさらに備える、請求項２１に記載のフィルタハウジング。
【請求項２３】
前記シールの後封止面が、前記コネクタの前記面の前記シール把持部の少なくとも一部に接着される、請求項２０に記載のフィルタハウジング。
【請求項２４】
前記シールと前記後封止面の半径方向外側に係合するリングをさらに具備する、請求項２０に記載のフィルタハウジング。
【請求項２５】
前記リングが、刻み付きの外面を有する、請求項２３に記載のフィルタハウジング。
【請求項２６】
前記リングが外部フランジを有する、請求項２３に記載のフィルタハウジング。
【発明の詳細な説明】
【関連出願の相互参照】
【０００１】
本出願は、２００４年６月２５日に出願された米国特許出願第１０／８７６，３８６号明細書の一部継続出願である。
【技術分野】
【０００２】
本発明の実施形態は、包括的にはデータ伝送システム部品に関し、特に、同軸ケーブルシステム部品のコネクタで、ねじ式ポート接続を封止するために使用されるナットシールアセンブリと、そのシールアセンブリを組み込んだ同軸ケーブルシステム部品に関する。
【背景技術】
【０００３】
共同アンテナテレビ（ＣＡＴＶ）システムおよび多くのブロードバンドデータ伝送システムは、損失および歪みが少なく広範囲の無線周波数（ＲＦ）伝送を搬送するために同軸ケーブル網に依存している。プラスチックまたはゴムの被覆が、切断されていない１本の同軸ケーブルを、水、塩、油、塵等の環境要素から適当に封止する。しかしながら、ケーブルは、その同軸ケーブルによって搬送される信号を分配しまたは他の方法で利用する、一般にねじ式ポート（以下、「ポート」）を有する、他のケーブル、部品および／または機器（たとえば、タップ、フィルタ、スプリッタおよびターミネータ）に接続されなければならない。保守技術員または他の操作員は、頻繁に、同軸ケーブルの端部を切断して準備し、ケーブルを同軸ケーブルコネクタまたは同軸ケーブルシステム部品に組み込まれたコネクタに接続し、コネクタをねじ式ポートに取り付けなければならない。これは、通常、現場で行われる。部品およびポートの環境に露出される（通常ねじ式）部分は環境要素および他の原因からの腐食および汚染を受け易い。それは、接続が通常、屋外に、電柱のタップに、顧客構内に、または地下ボールト内に配置されるためである。これら環境要素は、コネクタにかつコネクタと嵌合部品との間に位置する電気接続を最終的に腐食させる。結果としての腐食により、影響を受ける接続の効率が低下し、コネクタを介するＲＦ伝送の信号品質が低下する。コネクタ・ポート接続の近傍の腐食は、保守注意の原因であることが多く、その結果、保全費が高くなる。
【０００４】
コネクタおよび接続の耐湿性および耐腐食性を向上させるために多数の方法および装置が使用されてきた。これらには、たとえば、コネクタを電気テープで被着すること、コネクタを、ケーブルからコネクタに亙って摺動する可撓性ブーツ内に封入すること、コネクタにシュリンク包装を施すこと、コネクタをプラスチックまたはゴムセメントでコーティングすること、およびたとえば米国特許第４，６７４，８１８号明細書（マックミルズ（ＭｃＭｉｌｌｓ）他）および米国特許第４，８６９，６７９号明細書（ゼクタ（Ｓｚｅｇｄａ））に開示されているタイプの管状グロメットを採用することがある。
【０００５】
これらの方法は、適当に実行される場合、多少は効果があるが、すべて、技術者または操作者の側に技能、忍耐力および細部への注意の特定の組合せが必要である。たとえば、接続が小さい封入領域に位置する場合、組み立てられた接続に電気テープを貼付することは困難である場合がある。シュリンク包装は、一定の条件下では改善となり得るが、それを施すには通常熱または化学物質を加える必要があり、それらは入手できないかまたは危険である可能性がある。ゴムベースのセメントには熱が不要であるが、接続は汚染されていてはならず、セメントは幾分か均一に塗布されなければならない。これら本来達成可能な条件は、温度が低い、場所が狭いかまたは汚染されている等により複雑化する可能性がある。操作員は、ゴムグロメットまたはシールを使用して同軸ケーブル接続を封止するために、さらなる訓練および用心が必要な場合もある。操作員はまず、適用する適当なシールを選択した後、接続を組み立てる前に接続部材のうちの１つにシールを配置するのを忘れないようにしなければならない。ゴムシール設計によっては、半径方向圧縮でしか封止しない。これらシールは、嵌合部品の上またはその周囲でつぶれるように十分密でなければならない。シールが延在しなければならない径にはいくつかある可能性があるため、シールは径のうちの少なくとも１つの上で非常に密である可能性がある。密封によってもたらされる高い摩擦により、操作員は、組み立てられた接続が実際には緩んだままである時に完全に締められていると思う可能性がある。緩い接続は、高品質ＲＦ信号を効率的に転送しない可能性があり、腐食と同様の問題をもたらす。
【０００６】
他のシール設計では、コネクタナットとポートの対向する面との間に軸方向圧縮がもたらされることが必要である。ナットと対向面との間の距離に十分亙るが、長すぎることのない適当な長さのシールが選択されなければならない。シールは、長すぎる場合、コネクタまたは部品の完全な組立てを妨げる場合もある。シールが短すぎる場合、湿気が自由に通過する。ポート長が、製造業者が異なると一様でない可能性があるため、選択はより複雑となる。
【０００７】
上述した欠点と当業者には既知である他の欠点とを鑑みて、本発明者は、これら欠点に対処しかつ他の利点および効率を提供する、シールおよび封止コネクタが必要であることを認識した。
【発明の開示】
【０００８】
本発明の実施形態は、シールアセンブリと、説明する実施形態によるシールアセンブリを組み込んだ、限定されないがコネクタ、フィルタおよびターミネータを含むさまざまな同軸ケーブルシステム部品に関する。
【０００９】
本発明の実施形態は、コネクタと使用されるシールアセンブリに関する。このシールアセンブリの意図される機能は、湿気および汚染物質の侵入と、同軸ケーブル接続に対する圧力および温度の環境的変化の有害な影響と、を防止することである。例示的な実施形態では、シールアセンブリは、ナット部品と、ナット部品に接続される弾力的に変形可能な管状本体を有するベローズタイプのエラストマーシールと、を含み、シールおよびナットは一体シールアセンブリを形成する。一態様では、ナット部品は、少なくとも一部がねじ式である内面と、コネクタ把持部と、シール把持面部と、を有する。シール把持面部は、ナット部品の内面にあっても外面にあってもよい。一態様では、シール把持部の少なくとも一部は、平滑面またはシールの後方封止面と摩擦係合するために適した粗化面である。一態様では、シール把持面の少なくとも一部は、シールの後方封止面と接着係合するために適した面である。代替実施形態では、ナット部品は、ナット部品の外縁面に沿ったナット回転面部をさらに含む。一態様では、ナット回転面部は、工具のジョーと係合するために適した少なくとも２つの平坦面領域を有してもよい。一態様では、ナット回転面部は、手動操作し易いように刻み付き面であってもよい。
【００１０】
一態様によれば、シールは弾力的に変形可能な管状本体からなり、管状本体は、前封止面と、ナット部品と一体係合する封止面を含む後方封止部と、管状本体の前端と後端との中間の一体接合部と、を有し、軸方向に圧縮されると、一体接合部において半径方向に膨張するように適合される。さまざまな態様によれば、シールは、圧縮成型された弾性材料から作製される。一態様では、材料はシリコーンゴム材料である。別の態様では、材料はプロピレン材料である。他の適当な材料が入手可能である。
【００１１】
代替実施形態では、シールアセンブリは、内面および外面を有するシールリングをさらに備え、内面は、シールリングがシールの後方封止部の外面に対して圧入されるような径を有する。一態様では、シールリングは、その後縁に沿って外側に延在するフランジを有する。一態様では、シールリングの外面は刻み付きである。
【００１２】
本発明の別の実施形態は、同軸ケーブルをポートに接続するコネクタに関する。例示的な実施形態によれば、コネクタは、管状コネクタ本体と、コネクタ本体の第１端を同軸ケーブルに接続する手段と、シールアセンブリと、を含む。一態様では、シールアセンブリは、本明細書において上述しかつ以下の詳細な説明で述べるそのさまざまな態様でのシールアセンブリである。例示的なコネクタはＦコネクタである。
【００１３】
本発明のさらなる実施形態は、未使用出力ポートを封止しかつ終端させる終端装置と使用されるシールアセンブリに関する。終端装置は、同軸ケーブルのインピーダンスと整合するように、かつ本来同軸ケーブルを任意の使用されていない出力ポートに自身で単に接続することができる非加入者によるケーブル信号の盗用を防止するために使用される。かかる終端装置の一例は、ペリー（Ｐｅｒｒｙ）に対する米国特許第６，４９１，５４６号明細書に述べられており、その開示内容は参照により本明細書に援用される。例示的な実施形態によれば、本発明はポートおよびシールアセンブリへの接続のために一端に内部ねじを有するハウジングを備える。終端装置はまた、ハウジング内に抵抗器を含む。ハウジングは、終端装置のねじ式端部において、シールと嵌合するためのシール把持円柱状面を含む。一態様では、シールアセンブリについては、そのさまざまな態様において、本明細書において上述し、かつ以下の詳細な説明において述べる。
【００１４】
本発明の代替実施形態は、耐タンパー性終端装置のためのシールアセンブリに関する。耐タンパー性終端装置は、ハウジングと、外側シェルと、シールアセンブリと、を含む。ハウジングの一端は、未使用ねじ式ポートへの接続のための内部ねじと、シール把持円柱状外面と、を含む。外側シェルは、ハウジングを包囲しかつそれとは独立して回転する。外側シェルの一端は、ハウジングを選択的にねじ式ポートに取り付けまたはねじ式ポートから取り外すためにハウジングと嵌合する専用工具の挿入のための開口を含む。一態様では、上述したバッフルタイプのエラストマーシールが、ハウジングの円柱状外面の溝に設置される。外側シェルは、少なくとも部分的にシールの端部を覆い、シールを適所に保持するのに役立つ。
【００１５】
本発明のさらに別の実施形態は、フィルタまたはトラップと使用されるシールアセンブリに関する。フィルタは、同軸ケーブルシステムにおいて、選択された信号が加入者の場所に使用可能な形態で到達しないように信号を選択的に除去するかまたは特定の周波数で減衰させるために使用される。ケーブルシステムで使用されるかかるフィルタまたはトラップの一例は、パリンカス（Ｐａｌｉｎｋａｓ）に対する米国特許第５，２７８，５２５号明細書に開示されており、その開示内容は参照により本明細書に援用される。例示的な実施形態によれば、本発明は、フィルタハウジングを備え、それは、フィルタリング部品と、ハウジングの夫々の端部における雄コネクタおよび雌コネクタと、シールアセンブリと、を含む。一態様では、シールアセンブリは、本明細書において上述しかつ以下の詳細な説明で述べるそのさまざまな態様のシールアセンブリである。
【発明を実施するための最良の形態】
【００１６】
これらおよび本発明の目的がさらに理解されるために、添付図面に関連して読まれるべき本発明の以下の詳細な説明を参照する。
【００１７】
本発明の実施形態は、同軸ケーブルシステム部品で使用されるシールアセンブリと、説明する実施形態によるシールアセンブリを含む同軸ケーブルシステム部品と、に関する。説明を通して、同様の参照数字は夫々の図における同様の部分を指す。
【００１８】
説明を簡単にするために、本明細書で参照し例示するコネクタ、終端装置、フィルタ等の同軸ケーブルシステム部品は、ＣＡＴＶまたは他のデータ伝送に使用される同軸ケーブルまたは部品を３／８インチ−３２ＵＮＥＦ  ２Ａねじを有する外部ねじ式ポートに接続するために適したタイプおよび形態であるものとする。しかしながら、当業者は、多くのシステム部品が、部品を典型的な外部ねじ式ポートに接続する回転可能な内部ねじ式ナットを含み、特定のサイズ、形状および部品細部が本発明に本質的に影響を与えないように異なってもよく、かつそれは本質的に本発明の一部ではない、ということを理解するであろう。同様に、ポートの外部ねじ部分の寸法（径および長）および構造が異なってもよい。たとえば、接続部の長さが約０．３２５インチ（約０．８２５センチメートル）である場合、ポートを「ショート」ポートと呼んでもよい。「ロング」ポートは、接続長が約０．５００インチ（約１．２７センチメートル）であり得る。ポートの接続部分のすべてをねじ式にしてもよく、またはたとえばねじ部分に直接隣接して非ねじ式肩部があってもよい。すべての場合において、部品およびポートは協働して係合しなければならない。本発明の実施形態によれば、部品コネクタとポートの外部ねじ部分との間の本来露出する領域に封止関係が提供される。
【００１９】
本発明の好ましい実施形態は、同軸コネクタで使用されるシールアセンブリ９０に関し、その例示的な態様を図２乃至図５に示す。図２および図３に示す概略的な態様９０−１では、シールアセンブリ９０はシール６０およびナット部品４０を含む。シールおよびナット部品は、図２に示すように一体アセンブリを形成する。
【００２０】
図１Ａ、図１Ｂ、図１Ｃおよび図２に例示的なシール６０を示す。シール６０は、略管状本体を有し、それは、その材料特性および設計の性質によって弾力的に変形可能である。概して、シール６０は約−４０℃と＋４０℃との間の温度範囲に亙って適当な化学抵抗および材料安定性（すなわち弾性）を有する圧縮成型された弾性材料からなる一体要素である。典型的な材料は、たとえばシリコーンゴムであり得る。別法として、材料は、プロピレン、すなわち典型的なＯリング材料であってもよい。本技術分野において既知である他の材料もまた適当であり得る。関心のある読者は、あり得る適当なシール材料の例示的な列挙としてｈｔｔｐ：／／ｗｗｗ．ａｐｐｌｅｒｕｂｂｅｒ．ｃｏｍを参照されたい。シール６０の本体は、前端５８および後端５９を有し、前端はポートとの最終的な係合のための自由端であり、後端は、シールアセンブリのナット部品４０に最終的に接続されるためのものである。シールは、前封止面６８と、ナット部品と一体的に係合する内部封止面６２を含む後方封止部６１（より詳細に後述する）と、管状本体の前端５８と後端５９との中間の一体接合部６５と、を有する。シール６０の前端における前封止面６８は、ポートとのシールを形成するのに役立つ環状ファセット６８ａ、６８ｂおよび６８ｃを含んでもよい。別法として、前封止面６８は、ポートに対して圧縮されるシールの内面および端部の弾性変形を通して有効なシールを形成する連続的な曲線状の環状面であってもよい。一体接合部は、シールのその軸方向圧縮時に外側膨張またはたわみを促進するように半径方向断面において比較的薄い、シールの長さの一部を含む。例示的な実施形態では、ナット把持面は、図示するように、管状本体の内側に環状面を形成する内部封止面６２と、後端５９に隣接する管状本体の内部肩部６７と、を有する。その意図された使用時、軸方向の圧縮力を、封止されるように意図されるポートの長さに応じてシールの一端または両端に対して印加してもよい。力はシールを軸方向に圧縮するように作用し、そこで、シールは一体接合部６５に近接して半径方向に膨張する。一態様では、一体接合部６５は、管状本体の前端５８と後端５９との中間に軸方向に非対称に、かつ内部封止面６２の後端６２’に隣接して配置される。好ましい実施形態では、管状本体は、一体接合部６５において、非圧縮状態で約０．４４インチ（約１．１２センチメートル）に等しい内径Ｄ２を有する。管状本体は、非圧縮状態で前端５８から後端５９まで約０．３６インチ（約０．９１センチメートル）の長さＬを有する。しかしながら、接合部６５を、封止面６２と前端５８との間のいずれの場所に挿入されるように設計してもよい。シールは、その意図された機能に対して使用される場合、腐食要素の侵入を防止するように設計される。
【００２１】
図２および図３に例として示すシールアセンブリ９０のナット部品４０は、少なくとも一部分４１がねじ式である内面と、コネクタ把持部４２と、シール把持面部４７を含む外面４５と、を有する。一態様では、シール把持面４７は、平坦な平滑面であっても、シール６０の内部封止面６２と摩擦係合および／または接着係合するために適した平坦な粗化面であってもよい。例示的な態様では、シール把持面４７はリッジ４８を含んでもよく、それは、シール把持面とともに、図２に示すようにナット部品４０とシール６０との間のロックタイプの締りばめにおいて、内部封止面６２に隣接してシールの内部肩部６７と対応して係合するために適したサイズおよび形状である、溝または肩部を形成する。
【００２２】
例示的なナット部品４０は、面４５上にナット回転面部４６をさらに含む。図３に示す例示的な態様では、ナット回転面部４６は、レンチ等の工具の面との係合を可能にする少なくとも２つの平坦面領域を有する。通常、この態様におけるナット回転面は六角形である。別法として、ナット回転面は、ナット部品の手による回転を容易にするように刻み付き面であってもよい。シールがナット部品と係合すると、シールの後封止面６４は、図２に示すようにナットの側面４３と当接し、それによってその領域に封止関係を形成する。
【００２３】
例示的な態様では、ナット部品４０のコネクタ把持部４２は、ナット部品（同様にシールアセンブリ９０）をコネクタの一部として適所に保持しながら自由に回転させることができるように、コネクタポスト２３（後述する）のフランジ２５と係合する内部突出肩部である。
【００２４】
図４に、シールアセンブリのさらなる例示的な態様９０−２を示す。本発明のシールアセンブリは、内面１８２および外面１８４を有するシールリング１８０をさらに含んでもよい。内面は、シールリングが、ナット部品の上を摺動し、シールの内部封止面６２に半径方向に隣接する外部後方面部６１に対して圧入をもたらすような径を有する。このシール６０の後端５９に対する圧入により、ナット４０と後封止面６２および６４との間の封止特性が向上する。例示的な態様では、シールリング１８０の外面１８４は、シールアセンブリの手による回転を容易にするように刻み付きである。ナット回転面の平坦部４６は、アセンブリを回転させる工具の使用をさらに容易にするように露出したままであってもよい。
【００２５】
図５に、シールアセンブリのさらなる例示的な態様９０−３を示す。シールリング１８０’は、シールリングの後縁から外側に延在するフランジ１８３を有する。上述したシールリング１８０の場合と同様に、シールリング１８０’の内面１８２は、シールの内部封止面６２に半径方向に隣接する外面部６１に対する圧入をもたらす。フランジ１８３は、シールリングのその組立位置への押込みを容易にする面を提供する。上述したように、ナット回転面の平坦部４６は、アセンブリを回転させる工具の使用をさらに容易にするために露出したままであってもよい。
【００２６】
本発明の別の実施形態は、同軸ケーブルを図１０乃至図１２において例示として示すようなポート１００、１１０および１２０に接続する、たとえば図３および図６に示すようなコネクタ１０に関する。図３の組立分解図に示す例示的なコネクタ１０は、第１端２１および第２端２２を夫々有する管状コネクタ本体２０を含む。コネクタ本体２０は、本技術分野において周知である多くの方法のうちの任意の方法により、図６に示すような同軸ケーブル１２を受け入れ保持する。コネクタ本体をケーブルに接続する周知の手段には、六角形、円形または円錐形の圧着と、テーパまたは段付きスリーブまたはリングの軸方向またはねじ式回転移動によってもたらされる部品の半径方向圧縮と、がある。例示的なコネクタ１０は、本技術分野において周知であるように、同軸ケーブルの外部導体と電気的に係合するように機能するコネクタポスト２３を含む。さらに、ポスト２３はフランジ２５を有し、それはコネクタ本体２０と組み立てられると、フランジと本体２０の第２端２２との間にスロット２６を提供する。コネクタ１０は、上述したナット部品４０等のナット部品をさらに含む。図２に示すナット部品４０のコネクタ把持肩部４２は、スロット２６と係合することにより、ナット部品が組立時にコネクタの一体回転部分であり得るようにする。例示的なコネクタ１０では、圧縮リング２４がコネクタ本体２０上を摺動することにより、コネクタアセンブリの完全性を確実にする。上述したように、シール６０およびナット部品４０は、コネクタ１０の一部である一体シールアセンブリ９０を形成する。図６に例示的なコネクタ１０の切取図を示し、図７に、それを、組み立てられた際のコネクタ１０−１として示す。図８および図９夫々に、夫々のシールアセンブリ９０−２、９０−３を組み込んだ代替的な例示的コネクタ１０−２、１０−３を示す。
【００２７】
図１０乃至図１２に、コネクタ１０の意図された使用および構成の例示的な図を示す。図１０Ａを参照すると、コネクタ１０−１は、「ショート」外部ねじ式ポート１００と軸方向に位置合せされるように配置される。ショートポート１００は、末端部１０４から拡大肩部１０６まで延在する１本の外部ねじ１０２を有する。外部ねじ１０２の長さは、シール６０の長さＬ（すなわち、未圧縮状態のシール６０）より短い。
【００２８】
図１０Ｂを参照すると、コネクタ１０−１およびショートポート１００が「接続されて」示されている。シール６０は、ナット４０とポート１００の肩部１０６との間で軸方向に圧縮される。後封止面６４は、ナット４０の側面４３に対して軸方向に圧縮され、前封止面６８の端面６８ａは、拡大肩部１０６に対して軸方向に圧縮され、それによりナット４０とポート１００の拡大肩部１０６との間の環境要素の侵入を防止する。
【００２９】
図１１Ａを参照すると、コネクタ１０−１は、「ロング」外部ねじ式ポート１１０と軸方向に位置合せされて配置される。ロングポート１１０は、１本の外部ねじ１１２を有するという特徴を有し、その外部ねじ１１２は、ポート１１０の末端１１４から、外部ねじ１１２の主径とおよそ等しい非ねじ径１１６まで延在する。そして、非ねじ部分１１６は、外部ねじ１１２から拡大肩部１１８まで延在する。外部ねじ１１２に非ねじ部分１１６を足した長さは、シール６０が非圧縮状態にある時に側面６３から外側に延在する長さより長い。
【００３０】
図１１Ｂにコネクタ１０−１およびロングポート１１０を示す。シール６０は、ナット４０と拡大肩部１１８との間で軸方向に圧縮されない。代りに、内部封止面６２がナット４０のシール把持面４７に対して半径方向に圧縮され、前封止面６８の内部６８ｂおよび６８ｃが非ねじ部分１１６に対して半径方向に圧縮され、それによりナット４０とポート１１０の非ねじ部分１１６との間の環境要素の侵入を防止する。ナット４０のシール把持面４７に対する内部封止面６２と非ねじ部分１１６に対する前封止面６８との両方の半径方向圧縮は、封止面とそれらの夫々の嵌合面との間の締りばめによってもたらされる。
【００３１】
図１２Ａは、代替外部ねじ式ポート１２０と軸方向に位置合せされて配置されるコネクタ１０−１を示す。代替ポート１２０の部分１２６、１２２は、ロングポート１１０（図１１）のものと同様であるが、非ねじ部分１２６の径は外部ねじ１２２の主径より大きい。
【００３２】
図１２Ｂに示すように、コネクタ１０−１は、代替ポート１２０に接続される。内部封止面６２は、ナット４０のシール把持面４７に対して半径方向に圧縮され、前封止面６８は、非ねじ部分１２６に対して半径方向に圧縮され、それによりナット４０と非ねじ部分１２６との間の環境要素の侵入を防止する。ナット４０のシール把持面４７に対する内部封止面６２と非ねじ部分１２６に対する前封止面６８との両方の半径方向圧縮は、封止面とそれら夫々の嵌合面との間の締りばめによってもたらされる。
【００３３】
図１３および図１４にシールアセンブリ９０’の変更実施形態を示す。シールアセンブリの変更実施形態の材料機能および動作は、上述した例示的な実施形態と実質的に同様であるが、シール６０’の後部はナット部品４０’の外面ではなく内面に接続される。シールの変更実施形態もまた、略管状本体を有し、それはその材料特性および設計の性質により弾力的に変形可能である。シール６０’の管状本体は前端５８および後端５９を有し、前端は最終的にポートと係合するための自由端であり、後端は、最終的に代替シールアセンブリのナット部品４０’と接続するためのものである。シールは、ファセットかまたは連続湾曲面のいずれかを有してもよい前封止面６８と、ナット部品と一体的に係合する外部封止面６２’を含む後方封止部６１（より詳細に後述する）と、管状本体の前端５８と後端５９との中間の一体接合部６５と、を含む。封止面６２’は、管状本体の外側の環状面である。シール６０’はまた、後端５９にリッジ６７’を有してもよく、それは、図示するように、ナット把持面６２’とともに、ナット部品４０’の対応する肩部４８と締りばめでロックする。その意図された使用時、封止されるように意図されるポートの長さに応じて、シールの一端または両端に軸方向の圧縮力を印加してもよい。その力は、シールを軸方向に圧縮するように作用し、そこでシールは一体接合部６５に近接して半径方向に膨張する。
【００３４】
図１３および図１４において例として示す変更シールアセンブリ９０’およびコネクタ１０’のナット部品４０’は、少なくとも一部分４１がねじ式である内面と、コネクタ把持部４２と、シール把持面部４７を含む内面と、を有する。一態様では、シール把持面４７は、平坦な平滑面であっても、シール６０’の内部封止面６２’と摩擦係合および／または接着係合するように適した平坦な粗化面であってもよい。一態様では、シール把持面４７は、図１３および図１４に示すようなロックタイプの締りばめにおいて封止面溝６２’に隣接してシール６０’の後端５９のリッジ６７に係合するために適したサイズおよび形状である、肩部４８を含む。
【００３５】
変更ナット部品４０’は、面４５にナット回転面部４６をさらに含む。シールがナット部品と係合すると、シールの封止面６４’は、図１３および図１４に示すようにナットの端面４３’と当接してその領域に封止関係を形成する。シールアセンブリのこの変更実施形態を、上述したようなコネクタおよびシールリングを組み込んだ例示的な実施形態において図４乃至図９の好ましいシールアセンブリの代りに用いてもよい。
【００３６】
図１５および図１６に、シールアセンブリの第２変更実施形態を示す。シール把持面４７は同様に平坦な平滑面であっても、シール６０の内部封止面と摩擦係合および／または接着係合するために適した平坦な粗化面であってもよい。しかしながら、この変更実施形態では、ナットおよびシールの夫々対応する肩部４８および６７間の連結する締りばめを形成した前方リッジがなくなっている。代りに、単独で、またはナット４０のシール把持面４７とシール６０のナット把持面６２との間の接着接合とともに、シール把持面４７に対するシール部材の弾性材料の圧縮力かまたはこれら面の間の摩擦力により、シール把持面にナットシールが保持される。他のすべての態様において、ナットシールアセンブリおよびそれを組み込んだコネクタのこの第２変更実施形態は、上述しかつ図１乃至図１２に示すアセンブリの例示的な実施形態と同様に動作する。
【００３７】
図１７に、終端装置またはターミネータに組み込まれた本発明の変更実施形態を示す。ターミネータ１３０は、第１端３２および第２端３３を有するハウジング３０と、シールアセンブリ９０−２と、を含む。ハウジングの第１端３２は、内面を画定するボアを含む。内面の一部は、未使用ケーブルポートのねじと係合する内部ねじ３１を有する。内面は、抵抗器３６を保持する抵抗器チャンバ３５を含んでもよい。抵抗器は、同軸ケーブルのインピーダンスと整合することにより、加入者に伝送される信号の完全性を維持する。ハウジングの第２端３３は、レンチ等の工具と係合するための２つ以上の平面を含む外面を有してもよい。外面は、形状が六角形であってもよい。
【００３８】
ハウジングの第１端はまた、シール把持面部３７を含む外面も含む。一態様では、シール把持面３７は、平坦な平滑面であっても、シール６０の内部封止面６２と摩擦係合および／または接着係合するために適した平坦な粗化面であってもよい。例示的な態様では、シール把持面３７はまたリッジ３８を含んでもよく、それはシール把持面とともに、図１７に示すようなターミネータハウジング３０とシール６０との間のロックタイプの締りばめにおいて、内部封止面６２に隣接してシールの内部肩部６７と対応して係合するために適したサイズおよび形状である、溝または肩部を形成する。
【００３９】
すべての態様において、シール６０は、上述しかつ図１Ａ、図１Ｂ、図１Ｃおよび図２に示すような例示的なシールと実質的に同様である。シール６０は略管状本体を有し、それはその材料特性および設計の性質により弾力的に変形可能である。シールは、前封止面６８と、ハウジングの円柱状外面３７またはリッジ３８のいずれかと一体的に係合する内部封止面６２を含む後方封止部６１と、管状本体の前端５８と後端５９との中間の一体接合部６５と、を有する。
【００４０】
終端装置に組み込まれた本発明のシールアセンブリは、内面１８２および外面１８４を有するシールリング１８０をさらに含んでもよい。すべての態様において、シールリング１８０は上述したようなものであり、かつ図４に示すようなものである。シールリング内面は、シールリングがターミネータハウジング３０上を摺動し、内部封止面６２に半径方向に隣接するシールの外部後方面部６１に対する圧入をもたらすような径を有する。シール６０の後端５９に亙るこの圧入により、ハウジング３０と後封止面６２および６４との間の封止特性が向上する。例示的な態様では、シールリング１８０の外面１８４は、シールアセンブリの手による回転を容易にするように刻み付きである。他のすべての態様において、ターミネータに組み込まれたシールアセンブリのこの実施形態は、上述しかつ図１乃至図１２に示すアセンブリの例示的な実施形態と同様に動作する。
【００４１】
図１８に、耐タンパー性終端装置に組み込まれた本発明のさらなる変更実施形態を示す。ターミネータ１３０ａは、第１端３２および第２端３３を有する略円柱状ハウジング３０ａと、第１端７２および第２端７３を有する外側シェル７０と、シールアセンブリ９０−２と、を含む。ハウジングの第１端３２は、内面を画定するボアを含む。内面の一部は、未使用ケーブルポートのねじと係合する内部ねじ３１を有する。外側シェル７０は、ハウジング３０と独立して回転し、第２端に、ハウジングの第２端の相補構造７５と嵌合する専用工具（図示せず）を挿入するための開口７４を有する。工具がハウジングと適当に係合すると、工具の回転によりハウジング３０が回転し、ハウジングが選択的にねじ式ポートに取り付けられるかまたはねじ式ポートから外される。すべての態様において、シール６０は、実質的に上述しかつ図１Ａ、図１Ｂ、図１Ｃおよび図２に示すような例示的なシールである。
【００４２】
シェルの第１端７２はまた、シール把持、円柱状面部７７を含む外面を含む。一態様では、シール把持面７７は、平坦な平滑面であっても、シール６０の内部封止面６２と摩擦係合および／または接着係合するために適した平坦な粗化面であってもよい。例示的な態様では、シール把持面７７はまたリッジ７８を含んでもよく、それはシール把持面とともに、図１８に示すような外側シェル７０とシール６０との間のロックタイプに締りばめにおいて、内部封止面６２に隣接するシールの内部肩部６７と対応して係合するために適したサイズおよび形状である、溝または肩部を形成する。
【００４３】
耐タンパー性終端装置に組み込まれた本発明のシールアセンブリは、内面１８２および外面１８４を有するシールリング１８０をさらに含んでもよい。すべての態様において、シールリング１８０は上述したようなものであり、かつ図４に示すようなものである。シールリング内面は、シールリングが外側シェル７０上を摺動しかつ内部封止面６２に半径方向に隣接するシールの外部後方面部６１に対する圧入をもたらすような径を有する。このシール６０の後端５９に対する圧入により、外側シェル７０と後封止面６２および６４との間の封止特性が向上する。他のすべての態様において、耐タンパー性ターミネータに組み込まれたシールのこの実施形態は、上述しかつ図１乃至図１２に示すシールの例示的な実施形態と同様に動作する。
【００４４】
図１９に、別の耐タンパー性終端装置に組み込まれた本発明のさらなる変更実施形態を示す。ターミネータ１３０ｂは、多くの特徴が図１８の終端装置１３０ａと同様である。外側シェルの第２端７３はまた、同軸ケーブルコネクタ（図示せず）と嵌合する外部ねじ７６を含む。かかる終端装置を、その特定の加入者へのサービスが一時停止している時に以前使用された出力ポートと対応するドロップラインとの間に、その加入者への完全な配線を除去する必要なく配置してもよい。サービスを、単に介在された終端装置を取り除きケーブルをポートに再接続することによって回復することができる。
【００４５】
シールリングの代りに、外側シェル７０の第１端７２は内面７８および外面７９を有する。外側シェル７０の第１端の内面７８は、ターミネータハウジング３０ｂのシール把持円柱状面３７の半径方向に上方にあるように構成され、内部封止面６２に半径方向に隣接するシールの外部後方面部６１に対する締りばめをもたらす。他のすべての態様において、耐タンパー性ターミネータ１３０ｂに組み込まれたシール６０のこの実施形態は、上述しかつ図１８に示すシールアセンブリの例示的な実施形態と同様に動作する。
【００４６】
図２０および図２１に、フィルタまたはタップ１４０に組み込まれた本発明の変更実施形態を示す。フィルタは、内部ねじ式コネクタ１４１を含む第１端１４２と外部ねじ式コネクタ１４４を含む第２端１４３とを有する略円柱状ハウジング１４５と、フィルタハウジングの第１端において内部ねじ式コネクタ１４１を包囲するシールアセンブリ９０−３と、を含む。内部ねじ式コネクタの外面は、シール把持面部１４７を含む。一態様では、シール把持面１４７は、平坦な平滑面であっても、シール６０の内部封止面６２と摩擦係合および／または接着係合するために適した平坦な粗化面であってもよい。例示的な態様では、シール把持面１４７はリッジ１４８を含んでもよく、それはシール把持面とともに、図２、図１７および図１８に示すようなコネクタ１４１とシール６０との間のロックタイプの締りばめにおいて内部封止面６２に隣接してシールの内部肩部６７と対応して係合するために適したサイズおよび形状である、溝または肩部を形成する。
【００４７】
すべての態様において、シール６０は、実質的に、上述しかつ図１Ａ、図１Ｂ、図１Ｃおよび図２に示すような例示的なシールである。シール６０は略管状本体を有し、それはその材料特性および設計の性質により弾力的に変形可能である。シールは、前封止面６８と、コネクタ１４１のシール把持面１４７かまたはリッジ１４８のいずれかと一体的に係合する内部封止面６２を含む後方封止部６１と、管状本体の前端５８と後端５９との中間の一体接合部６５と、を有する。
【００４８】
フィルタハウジングに組み込まれた本発明のシールアセンブリは、内面１８２および外面１８４を有するシールリング１８０’をさらに含んでもよい。すべての態様において、シールリング１８０’は、上述したようなものでありかつ図５に示すようなものである。シールリング内面は、シールリング１８０’が内部ネジコネクタ上を摺動しかつ内部封止面６２に半径方向に隣接するシールの外部後方面部６１に対する圧入をもたらすような径を有する。シール６０の後端５９に対するこの圧入により、コネクタ１４１と後封止面６２および６４との間の封止特性が向上する。例示的な態様では、シールリング１８０の外面１８４は、シールリングのその組立位置内への押込みを容易にしかつシールアセンブリの手による回転を容易にするフランジ１８３を含んでもよい。他のすべての態様において、フィルタに組み込まれたシールアセンブリのこの実施形態は、上述しかつ図５および図９に示すアセンブリの例示的な実施形態と同様に動作する。
【００４９】
本発明を例示的な実施形態およびその態様に関連し、かつ添付図面を参照して説明したが、当業者には、本発明が例示的かつ図示する実施形態に限定されないことが理解されよう。逆に、添付の特許請求の範囲で規定されるような本発明の範囲から逸脱することなく、それに対しさまざまは変更等を行うことができる。
【図面の簡単な説明】
【００５０】
【図１】図１Ａ〜図１Ｃは、本発明の例示的な実施形態によるシールの仕様図を表す。
【図２】図１に示すコネクタのシールアセンブリ部の拡大部分断面斜視図である。
【図３】本発明の例示的な実施形態によるコネクタの組立分解斜視図である。
【図４】本発明の別の例示的な実施形態によるナットシールアセンブリの組立分解斜視図である。
【図５】本発明の別の例示的な実施形態によるナットシールアセンブリの組立分解斜視図である。
【図６】本発明の例示的な実施形態による同軸ケーブルコネクタの部分断面斜視図である。
【図７】図３に示すナットシールアセンブリを組み込んだコネクタの組立斜視図である。
【図８】図４に示すナットシールアセンブリを組み込んだコネクタの組立斜視図である。
【図９】図５に示すナットシールアセンブリを組み込んだコネクタの組立斜視図である。
【図１０Ａ】例示的な外部ねじ式ポートと係合する前の例示的なコネクタの平面図である。
【図１０Ｂ】例示的な外部ねじ式ポートと完全に係合した時の図１０Ａの例示的なコネクタの部分平断面図である。
【図１１Ａ】異なる例示的な外部ねじ式ポートと係合する前の例示的なコネクタの平面図である。
【図１１Ｂ】例示的な外部ねじ式ポートと完全に係合した時の図１１Ａの例示的なコネクタの部分平断面図である。
【図１２Ａ】異なる例示的な外部ねじ式ポートと係合する前の例示的なコネクタの平面図である。
【図１２Ｂ】例示的な外部ねじ式ポートと完全に係合した時の図１２Ａの例示的なコネクタの部分平断面図である。
【図１３】本発明のシールアセンブリ部の変更実施形態の部分断面図である。
【図１４】本発明のシールアセンブリ部の変更代替実施形態の部分断面斜視図である。
【図１５】本発明のシールアセンブリ部の第２変更実施形態の部分断面斜視図である。
【図１６】本発明のシールアセンブリ部の第２変更実施形態の部分断面図である。
【図１７】本発明のナットシールアセンブリを組み込んだ終端装置の部分断面斜視図である。
【図１８】本発明のナットシールアセンブリを組み込んだ耐タンパー性終端装置の部分断面斜視図である。
【図１９】本発明のナットシールアセンブリを組み込んだ耐タンパー性終端装置の代替実施形態の部分断面斜視図である。
【図２０】本発明のナットシールアセンブリを組み込んだフィルタハウジングの斜視図である。
【図２１】本発明のナットシールアセンブリを組み込んだフィルタハウジングの部分断面斜視図である。
【図１Ａ】
2008535180.tif 000003
【図１Ｂ】
2008535180.tif 000004
【図１Ｃ】
2008535180.tif 000005
【図２】
2008535180.tif 000006
【図３】
2008535180.tif 000007
【図４】
2008535180.tif 000008
【図５】
2008535180.tif 000009
【図６】
2008535180.tif 000010
【図７】
2008535180.tif 000011
【図８】
2008535180.tif 000012
【図９】
2008535180.tif 000013
【図１０Ａ】
2008535180.tif 000014
【図１０Ｂ】
2008535180.tif 000015
【図１１Ａ】
2008535180.tif 000016
【図１１Ｂ】
2008535180.tif 000017
【図１２Ａ】
2008535180.tif 000018
【図１２Ｂ】
2008535180.tif 000019
【図１３】
2008535180.tif 000020
【図１４】
2008535180.tif 000021
【図１５】
2008535180.tif 000022
【図１６】
2008535180.tif 000023
【図１７】
2008535180.tif 000024
【図１８】
2008535180.tif 000025
【図１９】
2008535180.tif 000026
【図２０】
2008535180.tif 000027
【図２１】
2008535180.tif 000028
【手続補正書】
【提出日】平成19年11月29日(2007.11.29)
【手続補正１】
【補正対象書類名】特許請求の範囲
【補正対象項目名】全文
【補正方法】変更
【補正の内容】
【特許請求の範囲】
【請求項１】
少なくとも一部がねじ式である内面とシール把持面部とを有するハウジングと、
前記ハウジングに接続される弾力的に変形可能な管状本体を有するシールであって、前記本体が、前記ハウジングの前記シール把持面部と協働して係合する後封止面と、ねじ式ポートと協働して係合する前封止面と、軸方向に圧縮すると前記シールが半径方向に膨張するのを促進するように適合された一体接合部と、を有する、シールと、
を具備する、ケーブルシステム部品。
【請求項２】
前記シール把持部の少なくとも一部が、平滑面および前記シールの前記後封止面と摩擦係合するために適した粗化面のうちの一方である、請求項１に記載のケーブルシステム部品。
【請求項３】
前記シール把持部が、前記ハウジングの外面にリッジをさらに備える、請求項２に記載のケーブル終端装置。
【請求項４】
前記シールの後封止面が、前記ハウジングの前記面の前記シール把持部の少なくとも一部に接着される、請求項３に記載のケーブルシステム部品。
【請求項５】
前記ハウジングが第１端および第２端を有し、前記第２端が少なくとも２つの平坦面領域を有する、請求項１に記載のケーブルシステム部品。
【請求項６】
前記ハウジングの前記第２端が、断面が六角形の外面を有する、請求項５に記載のケーブルシステム部品。
【請求項７】
前記シールと前記後封止面の半径方向外側に係合するリングをさらに具備する、請求項１に記載のケーブルシステム部品。
【請求項８】
前記リングが、刻み付きの外面を有する、請求項７に記載のケーブルシステム部品。
【請求項９】
前記リングが外部フランジを有する、請求項７に記載のケーブルシステム部品。
【請求項１０】
第１端と第２端と中心軸とを有する円柱状シェルであって、前記第２端が内部キャビティを画定するスリーブを含む、円柱状シェルと、
第１端および第２端を有するハウジングであって、少なくとも部分的に前記シェル内に同軸上に配置されかつ少なくとも一部がねじ式である内面を有し、前記円柱状シェルとは独立して前記軸を中心に回転する、ハウジングと、
前記ハウジングの前記第１端または前記シェルの前記第１端のうちの一方に接続される弾力的に変形可能な管状本体を有するシールであって、前記本体が、後封止面と、ねじ式ポートと協働して係合する前封止面と、一体接合部と、を有する、シールと、
を具備する、耐タンパー性ケーブル終端装置。
【請求項１１】
前記後封止面が、前記シェルの前記第１端のシール把持面と協働して係合する、請求項１０に記載の耐タンパー性ケーブル終端装置。
【請求項１２】
前記シール把持部が、前記シェルの前記第１端の外面にリッジをさらに備える、請求項１１に記載の耐タンパー性ケーブル終端装置。
【請求項１３】
前記シールと前記後封止面の半径方向外側に係合するリングをさらに具備する、請求項１１に記載の耐タンパー性ケーブル終端装置。
【請求項１４】
前記リングが、刻み付きの外面を有する、請求項１３に記載の耐タンパー性ケーブル終端装置。
【請求項１５】
前記リングが外部フランジを有する、請求項１３に記載の耐タンパー性ケーブル終端装置。
【請求項１６】
前記シェルの前記第１端が、前記シールを前記後封止面の半径方向外側に係合するように寸法が決められかつ構成される、請求項１１に記載の耐タンパー性ケーブル終端装置。
【請求項１７】
前記シェルの前記第２端が、同軸ケーブルコネクタの係合のための外部ねじを含む、請求項１１に記載の耐タンパー性ケーブル終端装置。
【請求項１８】
前記ハウジングの前記第２端が、工具による係合のための凹部を含む、請求項１１に記載の耐タンパー性ケーブル終端装置。
【請求項１９】
第１端および第２端を有するハウジング本体であって、前記第１端が内部ねじ式コネクタを含み、前記コネクタがシール把持面部を有する、ハウジング本体と、
前記コネクタに接続される弾力的に変形可能な管状本体を有するシールであって、前記本体が、前記コネクタの前記シール把持面部と協働して係合する後封止面と、ねじ式ポートと協働して係合する前封止面と、一体接合部と、を有する、シールと、
を具備する、フィルタハウジング。
【請求項２０】
前記シール把持部の少なくとも一部が、平滑面および前記シールの前記後封止面と摩擦係合するために適した粗化面のうちの一方である、請求項１９に記載のフィルタハウジング。
【請求項２１】
前記シール把持部が、前記コネクタの外面にリッジをさらに備える、請求項２０に記載のフィルタハウジング。
【請求項２２】
前記シールの後封止面が、前記コネクタの前記面の前記シール把持部の少なくとも一部に接着される、請求項１９に記載のフィルタハウジング。
【請求項２３】
前記シールと前記後封止面の半径方向外側に係合するリングをさらに具備する、請求項１９に記載のフィルタハウジング。
【請求項２４】
前記リングが、刻み付きの外面を有する、請求項２２に記載のフィルタハウジング。
【請求項２５】
前記リングが外部フランジを有する、請求項２２に記載のフィルタハウジング。
【国際調査報告】
2008535180.tif 000029